(57)【要約】
【課題】　着用者のヒップを美しく見せることができるズボンを提供する。
【解決手段】　ズボン１は、身頃３の内側に、着用者の少なくともヒップを被う裏地２が設けられている。裏地２は、伸縮可能な生地からなるとともに、身頃３の後股ぐり部８に対応する、後股ぐり対応部９の生地寸法が、前記後股ぐり部８の生地寸法より短く形成されている。ここで、後股ぐり対応部９は、その一部が引っ張られて伸びるギャザー部１０となっている。こうして、裏地２は、その後股ぐり対応部９の長さが、引き伸ばされない状態では後股ぐり部８の長さより短く、引き伸ばされることで、前記後股ぐり対応部９が、少なくとも前記後股ぐり部８の長さほどに伸びるように形成されている。
【選択図】　図３
0003099303.tif 000002
【実用新案登録請求の範囲】
【請求項１】
　着用者の少なくともヒップおよび下腹部を被う裏地を、身頃の内側に設けたズボンであって、
　前記裏地は、前記ズボンの身頃の、少なくともウェスト近辺部、前開き近辺部および股部にて止着され、かつ、前記身頃の後股ぐり部に対応する、後股ぐり対応部の長さが、引き伸ばされない状態では前記後股ぐり部の長さよりも短く、引き伸ばされることで、前記後股ぐり対応部が、少なくとも前記後股ぐり部の長さほどに伸びるように形成されてなることを特徴とするズボン。
【請求項２】
　着用者の少なくともヒップを被う裏地を、身頃の内側に設けたズボンであって、
　前記裏地は、前記ズボンの後身頃の、少なくともウェスト近辺部、脇部および股部にて止着され、かつ、前記身頃の後股ぐり部に対応する、後股ぐり対応部の長さが、引き伸ばされない状態では前記後股ぐり部の長さよりも短く、引き伸ばされることで、前記後股ぐり対応部が、少なくとも前記後股ぐり部の長さほどに伸びるように形成されてなることを特徴とするズボン。
【請求項３】
　前記裏地は、伸縮可能な生地からなるとともに、その後股ぐり対応部の生地寸法が、前記後股ぐり部の生地寸法よりも短く、引き伸ばされることで、前記後股ぐり対応部が、少なくとも前記後股ぐり部の長さほどに伸びることを特徴とする請求項２に記載のズボン。
【請求項４】
　前記後股ぐり対応部の少なくとも一部が、引き伸ばされ得るギャザー部となっていることで、前記裏地は、その後股ぐり対応部の長さが、引き伸ばされない状態では前記後股ぐり部の長さよりも短く、引き伸ばされることで、前記後股ぐり対応部が、少なくとも前記後股ぐり部の長さほどに伸びることを特徴とする請求項２に記載のズボン。
【請求項５】
　前記裏地は、その後股ぐり対応部の生地寸法が、前記後股ぐり部の生地寸法とほぼ同一であることを特徴とする請求項４に記載のズボン。
【請求項６】
　前記裏地は、伸縮可能な生地からなることを特徴とする請求項４または５に記載のズボン。
【請求項７】
　前記裏地は、伸縮可能な生地からなるとともに、その後股ぐり対応部の生地寸法が、前記後股ぐり部の生地寸法よりも短いことを特徴とする請求項４に記載のズボン。
【請求項８】
　前記ズボンの後身頃は、前記ウェスト近辺部にダーツを有し、
　前記裏地は、前記後身頃の前記ウェスト近辺部に対応する、ウェスト近辺対応部にダーツを有していないことを特徴とする請求項３、６または７のいずれか１項に記載のズボン。
【請求項９】
　前記ギャザー部は、前記後股ぐり対応部の下部部分に位置することを特徴とする請求項６または７に記載のズボン。
【請求項１０】
　前記ギャザー部は、弾性体が取り付けられて形成されていることを特徴とする請求項９に記載のズボン。
【請求項１１】
　前記裏地は、前記ズボンの右後身頃に対応する右裏地と、前記ズボンの左後身頃に対応する左裏地とが縫着されて形成されていることを特徴とする請求項２ないし１０のいずれか１項に記載のズボン。
【請求項１２】
　前記裏地は、伸縮可能な生地からなるとともに、前記ズボンの右後身頃に対応する右裏地と、前記ズボンの左後身頃に対応する左裏地とが縫着されて形成されており、
　前記右裏地の生地は、前記右後身頃の生地とほぼ同一の巾寸法であり、前記左裏地の生地は、前記左後身頃の生地とほぼ同一の巾寸法であることを特徴とする請求項４に記載のズボン。
【請求項１３】
　前記裏地は、前記ズボンの後身頃のウェスト近辺部から股下部の上部までの長さを備えることを特徴とする請求項２ないし１２のいずれか１項に記載のズボン。
【請求項１４】
　前記裏地は、前記ズボンの後身頃のウェスト近辺部、脇部および内股部で止着されていることを特徴とする請求項１３に記載のズボン。
【請求項１５】
　前記裏地が伸縮可能な生地からなり、かつ、前記後股ぐり対応部の少なくとも一部が、ギャザー部となっていることで、前記裏地は、その後股ぐり対応部の長さが、引き伸ばされない状態では前記後股ぐり部の長さよりも短く、引き伸ばされることで、前記後股ぐり対応部が、少なくとも前記後股ぐり部の長さほどに伸びることを特徴とする請求項１に記載のズボン。
【請求項１６】
　前記ギャザー部は、前記後股ぐり対応部の下部部分に位置することを特徴とする請求項１５に記載のズボン。
【請求項１７】
　前記裏地は、パワーネット生地（ポリウレタン繊維等の弾性糸を編み込んだ編地）からなることを特徴とする請求項３、６、７、８、９，１０、１２、１５または１６のいずれか１項に記載のズボン。
【請求項１８】
　前記ズボンの身頃は、伸縮性を備えた生地からなることを特徴とする請求１７に記載のズボン。
【考案の詳細な説明】
【技術分野】
【０００１】
　本考案は、着用者のヒップを美しく見せるズボンに関するものである。
【背景技術】
【０００２】
　従来、ズボンを着用したときに、ヒップ等の体形が直接外部に現れないようにするためにガードル等を着用して、体形を補整することがあった。
【考案の開示】
【考案が解決しようとする課題】
【０００３】
　しかしながら、このようにガードル等を着用することは、ズボンの内側に余分に着衣することであり、煩わしく感じることがあった。
【０００４】
　本考案は、上記従来の欠点を解決するためになされたものであり、その目的とするところは、着用者のヒップを美しく見せることができるズボンを提供することにある。
【課題を解決するための手段】
【０００５】
　本考案に係るズボンは、前記目的を達成するために、次の構成からなる。すなわち、請求項１に記載のズボンは、着用者の少なくともヒップおよび下腹部を被う裏地を、身頃の内側に設けたズボンである。ここで、前記裏地は、前記ズボンの身頃の、少なくともウェスト近辺部、前開き近辺部および股部にて止着され、かつ、前記身頃の後股ぐり部に対応する、後股ぐり対応部の長さが、引き伸ばされない状態では前記後股ぐり部の長さよりも短く、引き伸ばされることで、前記後股ぐり対応部が、少なくとも前記後股ぐり部の長さほどに伸びるように形成されてなる。これにより、後股ぐり対応部が引き伸ばされない状態、すなわち、人がこのズボンを着用しない状態においては、裏地の後股ぐり対応部の長さは、身頃の後股ぐり部に対して短くなっている。ここで、人がこのズボンを着用すると、前記後股ぐり対応部が、着用者のヒップによって、少なくとも前記後股ぐり部の長さほどに引き伸ばされ、その後股ぐり対応部には、伸びを戻そうとする力が働く。すなわち、人がズボンを着用することで、裏地には、着用者のヒップを引き締める力が働く。また、裏地によって、着用者のヒップおよび下腹部が被われる。
【０００６】
　また、請求項２に記載のズボンは、着用者の少なくともヒップを被う裏地を、身頃の内側に設けたズボンであって、前記裏地は、前記ズボンの後身頃の、少なくともウェスト近辺部、脇部および股部にて止着され、かつ、前記身頃の後股ぐり部に対応する、後股ぐり対応部の長さが、引き伸ばされない状態では前記後股ぐり部の長さよりも短く、引き伸ばされることで、前記後股ぐり対応部が、少なくとも前記後股ぐり部の長さほどに伸びるように形成されてなる。これにより、後股ぐり対応部が引き伸ばされない状態、すなわち、人がこのズボンを着用しない状態においては、裏地の後股ぐり対応部の長さは、身頃の後股ぐり部に対して短くなっている。ここで、人がこのズボンを着用すると、前記後股ぐり対応部が、着用者のヒップによって、少なくとも前記後股ぐり部の長さほどに引き伸ばされ、その後股ぐり対応部には、伸びを戻そうとする力が働く。すなわち、人がズボンを着用することで、裏地には、着用者のヒップを引き締める力が働く。
【０００７】
　また、請求項３に記載のズボンによれば、前記裏地は、伸縮可能な生地からなるとともに、その後股ぐり対応部の生地寸法が、前記後股ぐり部の生地寸法よりも短く、引き伸ばされることで、前記後股ぐり対応部が、少なくとも前記後股ぐり部の長さほどに伸びる。これによれば、人がズボンを着用しないときには、裏地の後股ぐり対応部は、身頃の後股ぐり部より短い状態となっている。そして、人がズボンを着用すると、裏地の後股ぐり対応部の生地、すなわち、裏地自身が着用者のヒップによって引き伸ばされるので、裏地には、その伸びを戻そうとする力が働く。すなわち、裏地には、着用者のヒップを引き締める力が働く。
【０００８】
　また、請求項４に記載のズボンによれば、前記後股ぐり対応部の少なくとも一部が、引き伸ばされ得るギャザー部となっていることで、前記裏地は、その後股ぐり対応部の長さが、引き伸ばされない状態では前記後股ぐり部の長さよりも短く、引き伸ばされることで、前記後股ぐり対応部が、少なくとも前記後股ぐり部の長さほどに伸びる。これによれば、人がズボンを着用しないときには、裏地の後股ぐり対応部は、身頃の後股ぐり部より短い状態となっている。そして、人がズボンを着用すると、ギャザー部が着用者のヒップによって引き伸ばされるので、ギャザー部には、その伸びを戻そうとする力が働く。すなわち、裏地には、着用者のヒップを引き締める力が働く。また、ギャザー部が伸びることで、裏地の後股ぐり対応部が伸びるので、裏地は、必ずしも伸縮可能な生地からなる必要がなく、様々な素材からなる布地を裏地として使用することができる。裏地の生地が伸縮性を備えない場合には、ギャザー部に例えば弾性体を取り付けることで、引き伸ばされ得るギャザー部とすることができる。
【０００９】
　また、請求項５に記載のズボンのように、前記裏地は、その後股ぐり対応部の生地寸法が、前記後股ぐり部の生地寸法とほぼ同一であってもよい。
【００１０】
　また、請求項６に記載のズボンのように、前記裏地は、伸縮可能な生地からなってもよい。これによれば、ズボンの着用時には、裏地の後股ぐり対応部のギャザー部だけでなく、裏地の生地自身も引き伸ばされるので、裏地には、ギャザー部および生地の伸びを戻そうとする大きな力が働く。すなわち、裏地には、着用者のヒップを引き締める大きな力が働く。
【００１１】
　また、請求項７に記載のズボンのように、前記裏地は、伸縮可能な生地からなるとともに、その後股ぐり対応部の生地寸法が、前記後股ぐり部の生地寸法よりも短くてもよい。
【００１２】
　また、請求項８に記載のズボンのように、前記ズボンの後身頃は、前記ウェスト近辺部にダーツを有し、前記裏地は、前記後身頃の前記ウェスト近辺部に対応する、ウェスト近辺対応部にダーツを有しないのが望ましい。これによれば、後身頃は、ウェスト近辺部にダーツを有するので、ヒップの曲面形状に合わせるための膨らみを持つ。一方、裏地は、ウェスト近辺対応部にダーツを有しないので、後身頃よりも平面的な形状で、その後身頃に取り付けられる。すなわち、裏地は、ヒップの曲面形状に合わせるための膨らみを持たない。したがって、ズボンの着用時には、裏地は、ヒップの形状に合うように引き伸ばされるので、裏地には、その伸びを戻そうとする力が働く。
【００１３】
　また、請求項９に記載のズボンのように、前記ギャザー部は、前記後股ぐり対応部の下部部分に位置することが望ましい。このように、ギャザー部が後股ぐり対応部の下部部分に位置するので、ギャザー部には、ヒップを下方から持ち上げる力が働く。
【００１４】
　また、請求項１０に記載のズボンのように、前記ギャザー部は、弾性体が取り付けられて形成されてもよい。
【００１５】
　また、請求項１１に記載のズボンのように、前記裏地は、前記ズボンの右後身頃に対応する右裏地と、前記ズボンの左後身頃に対応する左裏地とが縫着されて形成されていてもよい。
【００１６】
　また、請求項１２に記載のズボンによれば、前記裏地は、伸縮可能な生地からなるとともに、前記ズボンの右後身頃に対応する右裏地と、前記ズボンの左後身頃に対応する左裏地とが縫着されて形成されている。ここで、前記右裏地の生地は、前記右後身頃の生地とほぼ同一の巾寸法であり、前記左裏地の生地は、前記左後身頃の生地とほぼ同一の巾寸法である。これによれば、裏地の生地の巾寸法が、後身頃の生地の巾寸法とほぼ同一となるので、裏地の生地を引き伸ばすことなく、その裏地を後身頃に止着することができる。
【００１７】
　また、請求項１３に記載のズボンのように、前記裏地は、前記ズボンの後身頃のウェスト近辺部から股下部の上部までの長さを備えているのが望ましい。これによれば、裏地は、ズボンの後身頃のウェスト近辺部から股下部の上部までの長さを備えるので、着用者のヒップおよび太股の付け根辺りを被う。
【００１８】
　また、請求項１４に記載のズボンのように、前記裏地は、前記ズボンの後身頃のウェスト近辺部、脇部および内股部で止着されるのが望ましい。
【００１９】
　また、請求項１５に記載のズボンによれば、前記裏地が伸縮可能な生地からなり、かつ、前記後股ぐり対応部の少なくとも一部が、ギャザー部となっていることで、前記裏地は、その後股ぐり対応部の長さが、引き伸ばされない状態では前記後股ぐり部の長さよりも短く、引き伸ばされることで、前記後股ぐり対応部が、少なくとも前記後股ぐり部の長さほどに伸びる。これによれば、ズボンの着用時には、裏地の後股ぐり対応部のギャザー部だけでなく、裏地の生地自身も引き伸ばされるので、裏地には、ギャザー部および生地の伸びを戻そうとする大きな力が働く。すなわち、裏地には、着用者のヒップを引き締める大きな力が働く。また、裏地は、着用者の下腹部およびヒップを被う。
【００２０】
　また、請求項１６に記載のズボンのように、前記ギャザー部は、前記後股ぐり対応部の下部部分に位置することが望ましい。このように、ギャザー部が後股ぐり対応部の下部部分に位置するので、ギャザー部には、ヒップを下方から持ち上げる力が働く。
【００２１】
　また、請求項１７に記載のズボンのように、前記裏地は、パワーネット生地（ポリウレタン繊維等の弾性糸を編み込んだ編地）からなるのが望ましい。これによれば、着用者のヒップによって裏地が引き伸ばされると、その伸びを戻そうとする、パワーネット生地の優れたキックバック力が働く。
【００２２】
　また、請求項１８に記載のズボンのように、前記ズボンの身頃は、伸縮性を備えた生地からなってもよい。これによれば、着用者がかがんだりなどしたときには、身頃の生地は、裏地とともに引き伸ばされる。
【考案の効果】
【００２３】
　請求項１、２、３および１１に記載のズボンによれば、人がズボンを着用することで、裏地には、着用者のヒップを引き締める力が働くので、着用者のヒップを美しく見せることができる。
【００２４】
　また、請求項４および５に記載のズボンによれば、裏地として伸縮性のない布地であっても使用することができるので、用途に合わせて様々の布地を使用することができる。
【００２５】
　また、請求項６、７および１５に記載のズボンによれば、ズボンの着用時には、裏地には、ギャザー部および生地の伸びを戻そうとする大きな力が働くので、着用者のヒップをより美しく見せることができる。
【００２６】
　請求項８に記載のズボンによれば、ズボンを着用すると、裏地がピップの形状に合わせて引き伸ばされ、裏地には、その伸びを戻そうとする力が働くので、ヒップをより引き締めることができる。
【００２７】
　請求項９および１６に記載のズボンによれば、ズボンの着用時には、ヒップを下方から持ち上げるように力が働くので、効果的にヒップを持ち上げることができ、より一層ヒップを美しく見せることができる。
【００２８】
　請求項１０に記載のズボンによれば、ギャザー部は、弾性体を取り付けることで、容易に作製できる。
【００２９】
　請求項１２に記載のズボンによれば、ズボンの着用時には、裏地には、ギャザー部および生地の伸びを戻そうとする大きな力が働くので、着用者のヒップをより美しく見せることができる。さらに、裏地によって後身頃の形態が損なわれることがない。
【００３０】
　請求項１３および１４に記載のズボンによれば、裏地が着用者のヒップおよび太股の付け根辺りを被うので、下着のラインを目立たなくすることができる。
【００３１】
　請求項１７に記載のズボンによれば、ヒップによって裏地が引き伸ばされると、パワーネット生地の優れたキックバック力が働くので、ヒップを一層美しく見せることができる。
【００３２】
　請求項１８に記載のズボンによれば、屈伸したり、あるいは、かがんだりなどするときに、窮屈に感じることの少ないズボンを提供できる。
【考案を実施するための最良の形態】
【００３３】
　以下、この考案に係るズボンの実施の形態を図面に基づいて説明する。
【００３４】
　図１ないし５は、本考案に係るズボンの一実施の形態を示す。図中符号１は、本考案に係るズボンを示し、着用者の少なくともヒップを被う裏地２が、ズボン１の身頃３の内側に設けられている。そして、ズボン１の上端部分には、ウェストバンド４が縫目４ａで縫着されている。
【００３５】
　身頃３は、例えば綿９５％、ポリウレタン５％の組成で構成される（もちろん、身頃３は、この組成に限定されるわけではない。）、伸縮性を備えた生地からなり、前身頃２０と後身頃５とを備える。後身頃５は、右後身頃６と左後身頃７とが縫着されて形成されているとともに、右後身頃６の右後身頃股ぐり部６ａと左後身頃７の左後身頃股ぐり部７ａとが互いに縫着されて、身頃３の後股ぐり部８が形成されている。また、後身頃５は、その後身頃５が着用者のヒップの曲面形状に沿うように、ウェスト近辺部５ａにダーツ５ｂ、５ｂを有している。ここで、右後身頃６および左後身頃７は、それぞれのウェスト近辺部６ｂ、７ｂに、前記ダーツ５ｂ、５ｂとなるダーツ部６ｘ、７ｘを有している。
【００３６】
　裏地２は、身頃３の後股ぐり部８に対応する、後股ぐり対応部９の長さが、引き伸ばされない状態では前記後股ぐり部８の長さよりも短く、引き伸ばされることで、前記後股ぐり対応部９が、少なくとも前記後股ぐり部８の長さほどに伸びるように形成されている。具体的には、前記裏地２は、伸縮可能な生地、例えば、ポリウレタン繊維等の弾性糸を編み込んだ編地であって、伸びた後のキックバック性に優れたパワーネット生地からなるとともに、前記後股ぐり対応部９の生地寸法が、前記後股ぐり部８の生地寸法より短くなっている。また、この裏地２は、さらに、前記後股ぐり対応部９の少なくとも一部、例えば、前記後股ぐり対応部９の下部部分に位置する一部が、引き伸ばされ得るギャザー部１０となっている。図示実施の形態においては、このギャザー部１０は、裏地２の後股ぐり対応部９を構成する生地の下端から、その後股ぐり対応部９に沿って、例えば１５ｃｍ程度の長さ範囲に、例えば１３ｃｍ程度の長さの紐状あるいは帯状の弾性体Ｍとしての、例えば、ゴム紐が、引き伸ばされるようにして、前記後股ぐり対応部９を構成する生地の、好ましくは後身頃５と対面する側の面に縫着等によって取り付けられて形成されている。もちろん、前記弾性体Ｍの長さとか、その弾性体Ｍが取り付けられる生地の長さ範囲とかは、前記数値に限定されるわけではなく、また、弾性体Ｍの形状も紐状あるいは帯状に限られるわけではなく、適宜変更可能である。
【００３７】
　また、前記裏地２は、図示実施の形態においては、前記右後身頃６に対応する右裏地１１と、前記左後身頃７に対応する左裏地１２とが縫着されて形成されているとともに、右裏地１１の右裏地股ぐり対応部１１ａと左裏地１２の左裏地股ぐり対応部１２ａとが互いに縫着されて、裏地２の後股ぐり対応部９が形成されている。ここで、右裏地１１は、右後身頃６のウェスト近辺部６ｂ（図示実施の形態では、右後身頃６の上端部）から股下部の上部（詳しくは、股下寸法６ｃが５ｃｍ〜１５ｃｍ、好ましくは、８ｃｍ〜１１ｃｍの長さ範囲となる部分）までの長さを備える。また、右裏地股ぐり対応部１１ａの生地寸法１１ｓは、前記右後身頃股ぐり部６ａの生地寸法６ｓより例えば１ｃｍほど短くなっている。また、左裏地１２は、左後身頃７のウェスト近辺部７ｂ（図示実施の形態では、左後身頃７の上端部）から股下部の上部（詳しくは、股下寸法７ｃが５ｃｍ〜１５ｃｍ、好ましくは、８ｃｍ〜１１ｃｍの長さ範囲となる部分）までの長さを備える。また、左裏地股ぐり対応部１２ａの生地寸法１２ｓは、前記左後身頃股ぐり部７ａの生地寸法７ｓより例えば１ｃｍほど短くなっている。こうして、裏地２は、後身頃５のウェスト近辺部５ａから股下部の上部までの長さを備えることとなる。また、裏地２は、前記後身頃５が、そのウェスト近辺部５ａにダーツ５ｂ、５ｂを有するのに対して、前記ウェスト近辺部５ａに対応するウェスト近辺対応部２ａにダーツを有していない。
【００３８】
　そして、この裏地２は、前記ズボン１の後身頃５の、少なくともウェスト近辺部５ａ、脇部５ｃ、５ｃ、および、股部Ｑ（図示実施の形態においては、後股ぐり部８の下端部から股下部の上部に至る股部Ｑ）にて止着されている。詳しくは、この裏地２は、そのウェスト近辺対応部２ａ、脇対応部２ｃ、２ｃ、および、内股対応部２ｄ、２ｄが、ぞれぞれ前記後身頃５のウェスト近辺部５ａ（右後身頃６のウェスト近辺部６ｂ、左後身頃７のウェスト近辺部７ｂ）、脇部５ｃ、５ｃ、および、内股部５ｄ、５ｄにぴったりと重なり合うようにして、ウェストバンド４の縫目４ａと脇縫目１３、１３と内股縫目１４、１４とによって、前記後身頃５に止着されている（図２参照）。なお、裏地２が止着される股部Ｑは、股もしくは股近辺の部分であればよく、必ずしも、後股ぐり部８の下端部から股下部の上部に至る内股部に限られるわけでなく、例えば、後股ぐり部８の下端部分のみからなるものであっても構わない。
【００３９】
　次に、以上の構成からなるズボン１の作用効果について説明する。裏地２の後股ぐり対応部９が引き伸ばされない状態、すなわち、人がこのズボン１を着用しない状態においては、裏地２の後股ぐり対応部９は、身頃３の後股ぐり部８に対して短くなっている。ここで、人がこのズボン１を着用すると、前記後股ぐり対応部９が、着用者のヒップによって、少なくとも前記後股ぐり部８の長さほどに引き伸ばされ、その後股ぐり対応部９には、伸びを戻そうとする力が働く。すなわち、人がズボンを着用することで、裏地２には、着用者のヒップを引き締める力が働く。これによって、着用者のヒップを美しく見せることができる。ところで、この実施の形態においては、裏地２は、伸縮可能な生地によって、その後股ぐり対応部９の生地寸法が後股ぐり部８の生地寸法より短くなるように形成されており、さらには、その後股ぐり対応部９の一部がギャザー部１０となっているので、着用者のヒップによって後股ぐり対応部９が引き伸ばされると、前記後股ぐり対応部９は、生地自身とギャザー部１０とが引き伸ばされる。そして、後股ぐり対応部９には、生地自身の伸びを戻そうとする力と、ギャザー部１０の伸びを戻そうとする力の両方の力が働くことになる。したがって、裏地２には、着用者のヒップを引き締める大きな力が働き、着用者のヒップを美しく見せることができる。さらに、裏地２には、前記伸縮可能な生地として、パワーネット生地が使用されている。これによって、裏地２には、パワーネット生地の優れたキックバック力が働き、着用者のヒップをより一層引き締めて、そのヒップをより美しく見せることができる。
【００４０】
　また、前記ギャザー部１０は、後股ぐり対応部９の下部部分に位置しているので、人がズボンを着用することで、ギャザー部１０が引き伸ばされると、ギャザー部１０には、ヒップを下方から上方に向かって持ち上げる力が働く。したがって、裏地２には、着用者のヒップを持ち上げる力が働き、着用者のヒップをより一層美しく見せることができる。また、前記ギャザー部１０は、後股ぐり対応部９にゴム紐等の弾性体を取り付けることで作製でき、その作製が容易となる。
【００４１】
　また、裏地２は、後身頃５のウェスト近辺部５ａから股下部の上部までの長さを備えるので、人がズボン１を着用すると、裏地２は、着用者のヒップおよび太股の付け根辺りを被う。したがって、裏地２によって、下着のラインを目立たなくすることができる。
【００４２】
　また、後身頃５は、ウェスト近辺部５ａにダーツを有している一方で、裏地２は、そのウェスト近辺対応部２ａにダーツを有していないので、図１および図２に示すように、裏地２は、後身頃５より平面的な形状で、その後身頃５に取り付けられる。すなわち、裏地２は、ヒップの形状に合わせるための膨らみを有しないので、人がズボン１を着用すると、裏地２は、ヒップの形状に合うように引き伸ばされて、裏地２には、その伸びを戻そうとする力が働く。したがって、ヒップを引き締めることができ、着用者のヒップをより美しく見せることができる。
【００４３】
　また、身頃３が伸縮性を備えた生地からなるので、着用者がかがんだりなどしたときには、身頃３は、裏地２とともに伸びる。したがって、ズボン１は、着用者に窮屈感を与える虞がない。
【００４４】
　なお、本考案は、上記実施の形態に限定されるわけではなく、その他様々な変更が可能である。裏地２は、着用者の少なくともヒップおよび下腹部を被うように、身頃３の内側に設けられてもよい。この際には、裏地２は、ズボン１の身頃３の、少なくともウェスト近辺部、前開き近辺部（詳しくは、ズボン１の前開き部を形成する、上前見返しおよび下前持ち出しの縁部に近接する部分）および股部Ｑにて止着されて、前身頃２０および後身頃５に取り付けられる。この場合おいても、前記裏地２は伸縮可能な生地からなり、かつ、その後股ぐり対応部９の少なくとも一部が、前記ギャザー部１０となっており、また、そのギャザー部１０は、前記後股ぐり対応部９の下部部分に位置しているのが好ましい。
【００４５】
　また、裏地２は、後股ぐり対応部９の長さが、引き伸ばされない状態では身頃３の後股ぐり部８の長さよりも短く、引き伸ばされることで、前記後股ぐり対応部９が、少なくとも前記後股ぐり部８の長さほどに伸ばされるように形成されていればよい。したがって、裏地２が、伸縮可能な生地（図示実施の形態においては、パワーネット生地）で、その後股ぐり対応部９の生地寸法が、後股ぐり部８の生地寸法よりも短くなるように形成されたものであれば、その後股ぐり対応部９の少なくとも一部がギャザー部１０になっていなくてもよい。ここで、パワーネット生地による優れたキックバック力が必要でなければ、裏地２は、必ずしもパワーネット生地である必要はない。また、後股ぐり対応部９の少なくとも一部が、ギャザー部１０となっていれば、裏地２は、伸縮可能な生地からなる必要はないし、また、その後股ぐり対応部９の生地寸法が、前記後股ぐり部８の生地寸法とほぼ同一であってもよい。
【００４６】
　また、裏地２が、伸縮可能な生地からなるとともに、前記ズボン１の右後身頃６に対応する右裏地１１と、前記ズボン１の左後身頃７に対応する左裏地１２とが縫着されて形成されてなり、かつ、その後股ぐり対応部９の少なくとも一部がギャザー部１０となっているときには、その裏地２を構成する右裏地１１および左裏地１２の生地は、それぞれ右後身頃６および左後身頃７の生地とほぼ同一の巾寸法であってもよい（図６参照）。これにより、裏地２は、その生地の巾寸法が、後身頃５の生地の巾寸法とほぼ同一に形成される。したがって、裏地２の生地を引き伸ばすことなく、その裏地２を後身頃５に取り付けることができるので、ズボン１は、裏地２によって形態が損なわれる虞がなくなる。
【００４７】
　また、後股ぐり対応部９の少なくとも一部がギャザー部１０となっている場合においては、そのギャザー部１０は、必ずしも、後股ぐり対応部９の下部部分に位置していなくてもよい。また、後股ぐり対応部９の一部だけではなく、後股ぐり対応部９のほぼ全部がギャザー部１０となっていてもよい。さらに、ギャザー部１０は、必ずしも弾性体が取り付けられて形成される必要はなく、例えば、伸縮可能な生地（例えばパワーネット生地）からなる裏地２において、後股ぐり対応部９の生地を引き伸ばすようにして、千鳥縫いミシンによって、千鳥縫いすることで形成されてもよく、ギャザー部１０の構成は、適宜変更可能である。
【００４８】
　また、後股ぐり対応部９の生地寸法を後股ぐり部８の生地寸法よりも短くする場合において、どれだけ短くするかについても、適宜変更可能である。
【００４９】
　また、裏地２は、必ずしも後身頃５のウェスト近辺部５ａから股下部の上部までの長さを備える必要はなく、股上部でとどまる長さ、すなわち、股下部の上部まで延びない長さであってもよい。また、裏地２が股下部の上部までの長さを備える場合であっても、その長さは、任意に変更可能である。さらには、裏地２は、裾近くまで延びる長さを備えるものであってもよい。
【００５０】
　また、身頃３は、伸縮性を備えた生地からなっているが、着用者がかがんだりなどするときに窮屈に感じないように考慮したものであり、これを考慮しないのであれば、必ずしも伸縮性を備える必要はなく、身頃３としては、様々な布地からなる生地を使用できるのは言うまでもない。また、本考案は、長ズボンのみならず半ズボンなどの丈の短いズボンにも実施可能であることは勿論である。
【図面の簡単な説明】
【００５１】
【図１】本考案に係るズボンの一実施の形態における、ズボンの側面図である。
【図２】同じく、ズボンの斜視図である。
【図３】同じく、裏返した状態のズボンの後身頃側を示す図である。
【図４】同じく、裁断した状態における後身頃の平面図であり、想像線は、裁断した状態の裏地を前記後身頃に重ね合わせた状態を示す。
【図５】同じく、裁断した状態における裏地の平面図である。
【図６】他の実施の形態の、裁断した状態における後身頃の平面図であり、ハッチング部は、裁断した状態の裏地を前記後身頃に重ね合わせた状態を示す。
【符号の説明】
【００５２】
　１　　ズボン　　　　　　　　　　　　２　　裏地
　２ａ　ウェスト近辺対応部　　　　　　２ｃ　脇対応部
　２ｄ　内股対応部　　　　　　　　　　３　　身頃
　５　　後身頃　　　　　　　　　　　　５ａ　ウェスト近辺部
　５ｂ　ダーツ　　　　　　　　　　　　５ｃ　脇部
　５ｄ　内股部　　　　　　　　　　　　６　　右後身頃
　７　　左後身頃　　　　　　　　　　　８　　後股ぐり部
　９　　後股ぐり対応部　　　　　　　　１０　ギャザー部
　１１　右裏地　　　　　　　　　　　　１２　左裏地
　Ｑ　　股部　　　　　　　　　　　　　Ｍ　　弾性体
【図１】
0003099303.tif 000003
【図２】
0003099303.tif 000004
【図３】
0003099303.tif 000005
【図４】
0003099303.tif 000006
【図５】
0003099303.tif 000007
【図６】
0003099303.tif 000008